【手続補正書】
【提出日】令和2年10月29日(2020.10.29)
【手続補正１】
【補正対象書類名】特許請求の範囲
【補正対象項目名】全文
【補正方法】変更
【補正の内容】
【特許請求の範囲】
【請求項１】
複数の画素において画像を表示する表示装置であって、
第１基板と、
前記第１基板に対向する第２基板と、
前記第１基板と前記第２基板との間の液晶層と、
前記第１基板上に形成されており、液晶層に制御電界を与える、前記複数の画素それぞれの画素駆動電極と、
複数のルーバ素子と、
前記第２基板の前記第１基板と対向する面上に形成されている複数のルーバ素子駆動電極と、
前記複数のルーバ素子駆動電極と前記液晶層との間において、前記第２基板上に連続して形成されており、接地されたシールド電極と、
前記複数のルーバ素子駆動電極の電位を制御する制御部と、
を含み、
前記複数のルーバ素子の各ルーバ素子は、
前記第２基板上で延び、
前記複数のルーバ素子駆動電極の各ルーバ素子駆動電極と前記シールド電極との間に挟まれ、
前記一つのルーバ素子駆動電極と前記シールド電極との間で印加された電圧に応じて光の透過量を変化させて、視野角を変化させる、
表示装置。
【請求項２】
請求項１に記載の表示装置であって、
前記複数のルーバ素子駆動電極は、それぞれ、面状の一つの透明金属層の一部である、
表示装置。
【請求項３】
請求項１に記載の表示装置であって、
前記第２基板の主面の法線方向において見て、前記複数のルーバ素子の領域は、前記第２基板上に形成されている前記複数の画素の領域を画定するブラックマトリックスの領域に含まれている、
表示装置。
【請求項４】
請求項１に記載の表示装置であって、
前記複数のルーバ素子は、
第１方向に延び、前記第１方向に垂直な第２方向に配列されている複数の第１ルーバ素子部と、
前記第２方向の延び、前記第１方向に配列された複数の第２ルーバ素子部と、
を含み、
前記複数の第１ルーバ素子部の各第１ルーバ素子は、前記複数の第２ルーバ素子部それぞれとの交差部において、前記複数の第２ルーバ素子部それぞれと連続している、
表示装置。
【請求項５】
請求項１に記載の表示装置であって、
前記複数のルーバ素子は、それぞれ、樹脂層の溝に封入されている有色電気泳動粒子と液体とを含み、
前記制御部は、
狭視野角モードにおいて、前記ルーバ素子駆動電極に、接地電位を与え、
広視野角モードにおいて、前記ルーバ素子駆動電極に、前記接地電位と異なる第２の一定電位を与える、
表示装置。
【請求項６】
請求項１に記載の表示装置であって、
前記シールド電極は、前記複数の画素の領域を画定するブラックマトリックスに含まれる、
表示装置。
【請求項７】
請求項１に記載の表示装置であって、
前記シールド電極は、連続する面状の透明電極である、
表示装置。
【請求項８】
請求項１に記載の表示装置であって、
前記第１基板に形成され、前記複数の画素それぞれの画素駆動電極との間で前記液晶層に制御電界を与える前記複数の画素それぞれの対向電極をさらに含む、
表示装置。
【請求項９】
複数の画素において画像を表示する表示装置であって、
第１基板と、
前記第１基板に対向する第２基板と、
前記第１基板と前記第２基板との間の液晶層と、
前記第１基板上に形成されており、液晶層に制御電界を与える、前記複数の画素それぞれの画素駆動電極と、
複数のルーバ素子と、
前記第２基板の前記第１基板と対向する面上に形成されている複数のルーバ素子駆動電極と、
前記複数のルーバ素子駆動電極と前記液晶層との間において、前記第２基板上に連続して形成された面状の電極であって、前記複数の画素の前記画素駆動電極との間で、前記液晶層に制御電界を与える、対向電極と、
前記対向電極と前記複数のルーバ素子駆動電極の電位を制御する制御部と、
を含み、
前記複数のルーバ素子の各ルーバ素子は、
前記第２基板上で延び、
前記複数のルーバ素子駆動電極の各ルーバ素子駆動電極と前記対向電極との間に挟まれ、
前記一つのルーバ素子駆動電極と前記対向電極との間で印加された電圧に応じて光の透過量を変化させて、視野角を変化させる、
表示装置。
【請求項１０】
請求項９に記載の表示装置であって、
前記複数のルーバ素子は、それぞれ、樹脂層の溝に封入されている有色電気泳動粒子と液体とを含み、
前記制御部は、
狭視野角モードにおいて、前記ルーバ素子駆動電極の電位を、前記対向電極と同電位に維持し、
広視野角モードにおいて、前記ルーバ素子駆動電極と前記対向電極との電圧一定となるように、前記ルーバ素子駆動電極の電位を制御する、
表示装置。
【請求項１１】
請求項１０に記載の表示装置であって、
前記制御部は、前記広視野角モードにおいて、前記ルーバ素子駆動電極に対する前記対
向電極の極性が、前記有色電気泳動粒子の帯電と逆極性となるように、前記ルーバ素子駆動電極の電位を制御する、
表示装置。
【請求項１２】
複数の画素によって画像を表示する表示装置であって、
基板と、
複数のルーバ素子と、
前記基板上に形成されている複数のルーバ素子駆動電極と、
前記基板上において、前記複数のルーバ素子駆動電極と対向し、前記複数の画素それぞれの領域を画定する、導電性ブラックマトリックスと、
前記導電性ブラックマトリックスと前記複数のルーバ素子駆動電極の電位を制御する制御部と、
を含み、
前記複数のルーバ素子の各ルーバ素子は、
前記基板上で延び、
前記複数のルーバ素子駆動電極の各ルーバ素子駆動電極と前記導電性ブラックマトリックスとの間に挟まれ、
前記一つのルーバ素子駆動電極と前記導電性ブラックマトリックスとの間で印加された電圧に応じて光の透過量を変化させて、視野角を変化させる、
表示装置。
【請求項１３】
請求項１２に記載の表示装置であって、
前記制御部は、前記導電性ブラックマトリックスに接地電位を与える、
表示装置。
【手続補正２】
【補正対象書類名】明細書
【補正対象項目名】００２１
【補正方法】変更
【補正の内容】
【００２１】
ＴＦＴ基板１０２の液晶層１１１と反対側の主面上に、偏光板１０１が取り付けられている。ＴＦＴ基板１０２の液晶層１１１に対する主面上には、液晶層１１１に電界を与えるための液晶駆動電極１０３（画素駆動電極）と対向電極１０４とが配列されている。液晶駆動電極１０３と対向電極１０４との各ペアが、一つの画素の液晶に電界を与える。与えられえる電界によって、画素の透過光量が変化する。ＴＦＴ基板１０２上には、制御する画素を選択するための不図示のＴＦＴアレイが形成されている。ＴＦＴは画素の光量を制御するための制御素子である。
【手続補正３】
【補正対象書類名】明細書
【補正対象項目名】００２４
【補正方法】変更
【補正の内容】
【００２４】
ＣＦ基板１４１は、ガラス又は樹脂からなる絶縁層の透明基板である。典型的には、ＣＦ基板１４１は、典型的には無色透明であるが、有色透明であってもよい。ＣＦ基板１４１は、例えば矩形である。ＣＦ基板１４１は不撓性又は可撓性である。ＣＦ基板１４１の液晶層１１１と反対側の主面上に、偏光板１４２が取り付けられている。
【手続補正４】
【補正対象書類名】明細書
【補正対象項目名】００９０
【補正方法】変更
【補正の内容】
【００９０】
ＣＦ基板１４１上の接続用電極３０１によって、ＣＦ基板１４１上で接続配線を形成することができる。ＴＦＴ基板１０２上には他の接続配線が一般に存在しているため、接続用電極３０１によって、ルーバ１３５を駆動するための配線を容易に形成することができる。なお、図１１Ａ、１１Ｂ、及び１１Ｃの配線構造は、図３又は５に示す、縦電界制御型液晶表示装置にも適用することができる。
【手続補正５】
【補正対象書類名】明細書
【補正対象項目名】００９５
【補正方法】変更
【補正の内容】
【００９５】
１００  表示装置、１０１  偏光板、１０２  ＴＦＴ基板、１０３  液晶駆動電極、１０４  対向電極、１０５  配向膜、１０７  画素電極、１１１  液晶層、１１８  シール、１２１  配向膜、１２２  オーバコート層、１２３  カラーフィルタ、１２４  ブラックマトリックス、１２５  絶縁層、１２６  シールド電極、１２８  導電性ブラックマトリックス、１２９  平坦化層、１３１  封止層、１３２  透明樹脂層、１３３、１３４  ルーバ素子、１３５  ルーバ、１３６  ルーバ駆動電極、１３７  ルーバ溝、１３８  分散媒、１３９  電気泳動粒子、１４１  カラーフィルタ基板、１４２  偏光板、１５０  制御部、１５１  ＶＣＯＭ回路、３０１  接続用電極、３１１、３１２、３１３、３１７、３１８  接続部、３１５  基板端子、５０１  光線